(57)【要約】【課題】設置可能な複数のランプのうち、少なくとも一つのランプが設置されないときでも設置されているランプに簡易に適切な空気量を供給することが可能なプロジェクタ及びプロジェクタに設置されたランプの冷却方法を提供する。【解決手段】複数のランプに空気を供給する給気ファン１０２と、他側でランプと接続し、給気ファンから空気をランプに供給する給気口を有するダクト１０４と、給気口１０５に設けられ、ランプが点灯位置に設置されるとき又は点灯位置から取り外されるときランプに接触しながら移動するシャッター１６０とを備え、シャッターは、ランプが点灯位置に設置されたとき、給気口を開状態とする第一モードとなり、シャッターは、ランプが点灯位置から取り外されたとき、給気口に開口を設けつつ給気口を第一モードに比べて閉状態とする第二モードとなって、第二モードでは給気ファンからの空気が第一モードとほぼ同じ供給量で開口を通過する。【選択図】図９
2011138054.tif 000002
【特許請求の範囲】
【請求項１】
光源である複数のランプに空気を供給する給気ファンと、
一側で前記給気ファンに接続され、前記ランプの数に応じて分岐して、他側で前記ランプと接続可能であり、前記ランプとの接続部分において前記給気ファンから前記空気を前記ランプに供給する給気口を有するダクトと、
前記給気口に設けられ、前記ランプが点灯位置に設置されるとき又は前記ランプが前記点灯位置から取り外されるとき前記ランプに接触しながら移動するシャッターと
を備え、
前記シャッターは、前記ランプが前記点灯位置に設置されたとき、前記給気口を開状態とする第一モードとなり、前記第一モードでは前記給気ファンからの空気が前記給気口を通過して前記ランプに供給され、
前記シャッターは、前記ランプが前記点灯位置から取り外されたとき、前記給気口に開口を設けつつ前記給気口を前記第一モードに比べて閉状態とする第二モードとなって、前記第二モードでは前記給気ファンからの空気が前記第一モードと同じ供給量で前記開口を通過する、プロジェクタ。
【請求項２】
前記給気ファンの出力は、前記第一モードと前記第二モードで同一である、請求項１に記載のプロジェクタ。
【請求項３】
光源であるランプが点灯位置に設置されるとき、前記ランプに空気を供給する給気ファンに接続されたダクトに形成された給気口に設けられたシャッターが前記ランプに接触しながら移動し、
前記ランプが前記点灯位置に設置されたとき、前記シャッターが前記給気口を開状態とする第一モードとなって、前記第一モードでは前記給気ファンからの空気が前記給気口を通過して前記ランプに供給され、
前記ランプが前記点灯位置から取り外されるとき、前記ランプに接触しながら移動し、
前記ランプが前記点灯位置から取り外されたとき、前記シャッターが前記給気口に開口を設けつつ前記給気口を前記第一モードに比べて閉状態とする第二モードとなって、前記第二モードでは前記給気ファンからの空気が前記第一モードと同じ供給量で前記開口を通過する、プロジェクタに設置されたランプの冷却方法。
【発明の詳細な説明】
【技術分野】
【０００１】
本発明は、プロジェクタ及びプロジェクタに設置されたランプの冷却方法に関する。
【背景技術】
【０００２】
映像を投写する表示装置であるプロジェクタは、高輝度のランプを光源として、例えば液晶パネルを透過した光をスクリーン等に照射する。プロジェクタには、二つのランプを備える２灯式といわれるものがある。そして、２灯式のプロジェクタには、二つのランプを同時に点灯して輝度を高めるものと、通常は片方のランプのみを点灯して使用し、他方のランプは予備として備えておく切替え式のものがある。
【０００３】
プロジェクタに内蔵されたランプは、点灯時に発熱するため、ランプやプロジェクタ内部が高温になる。そこで、プロジェクタには、給気ファンや排気ファン等の冷却系が設置されて、ランプやプロジェクタ内部が冷却される。
【０００４】
特許文献１では、一つの冷却ファンで複数のランプボックスを均一に冷却する構造が開示されている。また、特許文献２では、プロジェクタ内部において、ランプの破損によるガラスの飛散を防止する構造が開示されている。
【先行技術文献】
【特許文献】
【０００５】
【特許文献１】特開２００４−２１９４５８号公報
【特許文献２】特開２００５−１９６２３０号公報
【発明の概要】
【発明が解決しようとする課題】
【０００６】
２灯切替え式のプロジェクタには、二つのランプを冷却できるように、一つの給気ファンからの冷却風をダクトで二つに分岐するものがある。ところで、２灯切替え式のプロジェクタの使用方法として、プロジェクタ内部に予備のランプを設置しておいて、二つのランプを常時設置しておく場合と、図１５に示すように、予備のランプは設置しておかず、一つのランプのみを設置する場合がある。図１５は、従来のプロジェクタの内部の一部を示す説明図である。図１５では、ダクト４に接続されたランプ１６と、ダクト４を介してランプ１６に冷却風を送風する給気ファン２を示している。ランプ１６は、空気取り入れ部１４を有し、空気取り入れ部１４がダクト４と接続され、ランプ１６内部に冷却風が取り入れられる。
【０００７】
２灯切替え式のプロジェクタにおいて、二つのランプが設置されていれば、流路の抵抗が等しくなるため、冷却風が二つのランプに均等に供給される。一方、プロジェクタ内部に一方のランプのみが設置される場合、図１５と異なり、シャッター８がなければ、ランプが設置されない方の空間により多くの冷却風が流れてしまう。その結果、プロジェクタに設置されているランプへの冷却風が減少し、ランプ温度を低下できず、冷却条件を満たさなくなる。
【０００８】
そこで、図１５に示すように、シャッター８をダクト４内部に設置したり、特許文献１のように、シャッターを光源ホルダとダクトとの境界に設置したりして、ランプの設置位置に合わせて、空気の流路を開閉させる必要があった。または、シャッターを設置せず、給気ファンの出力を上げて、プロジェクタに設置されているランプへの流量を上昇させる必要があった。
【０００９】
また、シャッターの開閉や給気ファンの出力の切替えをユーザーが手動で行うとした場合、ランプの有無をユーザーが判断しなければならない。このとき、シャッターの開閉や給気ファンの出力の切替えをユーザーが失念した場合、ランプ設置側に空気を適当な流量で供給できずランプ温度を上昇させてしまうおそれがある。
【００１０】
そこで、図１６に示すように、ランプ設置エリア５０にランプボックス１０が設置されているかをセンサー３０が電気的に判断する方法がある。図１６は、従来の２灯切替え式のプロジェクタの冷却系を示す説明図である。ランプが内蔵されたランプボックス１０には、給気ファン２によって空気が供給され、排気ファン６によって空気が排出されることで、ランプが冷却される。
【００１１】
プロジェクタにシャッター８を設置する場合、センサー３０によってランプボックス１０の有無が判断され、制御部２０からの信号によってシャッター８の位置を移動させる。または、シャッター８を設置しない場合、センサー３０によってランプボックス１０の有無が判断され、制御部２０が給気ファン２の出力を変化させる。これらの場合、ランプの有無の検知から、シャッター８の開閉制御又は給気ファン２の出力制御までの制御系の構築が必要であった。また、給気ファン２の出力を上げて、プロジェクタに設置されているランプボックス１０への流量を上昇させる場合、給気ファン２の回転量が増加し、静粛性が損なわれるという問題があった。
【００１２】
特許文献１では、プロジェクタにシャッターを設置し、一方のランプボックスにのみ冷却風が流れるようにシャッターを完全に閉じた状態にする。冷却ファンの出力を変化させない場合、二つのランプに冷却風を供給する場合に比べて流量が上昇し、ランプを強く冷却できると特許文献１では記載されているが、冷却ファンの出力によってはランプを冷却し過ぎてしまう。その結果、ランプの輝度低下や黒化等の問題を発生させる場合がある。一方、冷却ファンの出力を変化させて、供給量を低下させる場合は、シャッターの開閉動作に加えて、冷却ファンの出力の切替えを行う必要がある。
【００１３】
そこで、本発明は、上記問題に鑑みてなされたものであり、本発明の目的とするところは、設置可能な複数のランプのうち、少なくとも一つのランプが設置されないときでも設置されているランプに簡易に適切な空気量を供給することが可能な、新規かつ改良されたプロジェクタ及びプロジェクタに設置されたランプの冷却方法を提供することにある。
【課題を解決するための手段】
【００１４】
上記課題を解決するために、本発明のある観点によれば、光源である複数のランプに空気を供給する給気ファンと、一側で給気ファンに接続され、ランプの数に応じて分岐して、他側でランプと接続可能であり、ランプとの接続部分において給気ファンから空気をランプに供給する給気口を有するダクトと、給気口に設けられ、ランプが点灯位置に設置されるとき又はランプが点灯位置から取り外されるときランプに接触しながら移動するシャッターとを備え、シャッターは、ランプが点灯位置に設置されたとき、給気口を開状態とする第一モードとなり、第一モードでは給気ファンからの空気が給気口を通過してランプに供給され、シャッターは、ランプが点灯位置から取り外されたとき、給気口に開口を設けつつ給気口を第一モードに比べて閉状態とする第二モードとなって、第二モードでは給気ファンからの空気が第一モードと同じ供給量で開口を通過する、プロジェクタが提供される。
なお、供給量の「同じ」はほぼ同じ、同程度も含む。
【００１５】
上記給気ファンの出力は、第一モードと第二モードで同一であってもよい。
【００１６】
また、上記課題を解決するために、本発明の別の観点によれば、光源であるランプが点灯位置に設置されるとき、ランプに空気を供給する給気ファンに接続されたダクトに形成された給気口に設けられたシャッターがランプに接触しながら移動し、ランプが点灯位置に設置されたとき、シャッターが給気口を開状態とする第一モードとなって、第一モードでは給気ファンからの空気が給気口を通過してランプに供給され、ランプが点灯位置から取り外されるとき、ランプに接触しながら移動し、ランプが点灯位置から取り外されたとき、シャッターが給気口に開口を設けつつ給気口を第一モードに比べて閉状態とする第二モードとなって、第二モードでは給気ファンからの空気が第一モードと同じ供給量で開口を通過する、プロジェクタに設置されたランプの冷却方法が提供される。
なお、供給量の「同じ」はほぼ同じ、同程度も含む。
【発明の効果】
【００１７】
以上説明したように本発明によれば、設置可能な複数のランプのうち、少なくとも一つのランプが設置されないときでも設置されているランプに簡易に適切な空気量を供給することができる。
【図面の簡単な説明】
【００１８】
【図１】本発明の第１の実施形態に係るプロジェクタ１００を示す斜視図である。
【図２】同実施形態に係る給気ファン１０２とランプ１１６を示す斜視図である。
【図３】同実施形態に係る給気ファン１０２と、ランプ設置エリア１５０を示す斜視図である。
【図４】同実施形態に係るプロジェクタ１００の冷却系を示す説明図である。
【図５】同実施形態に係るシャッター１６０を示す側面図である。
【図６】ランプボックス１１０及びダクト１０４を示す側面図である。
【図７】ランプボックス１１０及びダクト１０４を示す側面図である。
【図８】ランプボックス１１０及びダクト１０４を示す側面図である。
【図９】ランプボックス１１０及びダクト１０４を示す斜視図である。
【図１０】ランプボックス１１０及びダクト１０４を示す斜視図である。
【図１１】本発明の第２の実施形態に係るシャッター２６０を示す断面図である。
【図１２】ランプボックス１１０及びダクト１０４を示す側面図である。
【図１３】ランプボックス１１０及びダクト１０４を示す側面図である。
【図１４】ランプボックス１１０及びダクト１０４を示す側面図である。
【図１５】従来のプロジェクタの内部の一部を示す説明図である。
【図１６】従来の２灯切替え式のプロジェクタの冷却系を示す説明図である。
【発明を実施するための形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２０】
なお、説明は以下の順序で行うものとする。
１．第１の実施形態（回転動作するシャッター１６０を有するプロジェクタ）
２．第２の実施形態（スライド動作するシャッター２６０を有するプロジェクタ）
【００２１】
＜１．第１の実施形態＞
［本実施形態の構成］
まず、本発明の第１の実施形態に係るプロジェクタ１００について説明する。図１は、本実施形態に係るプロジェクタ１００を示す斜視図である。図１は、プロジェクタ１００の外装ケースを取り外した状態で、ベース１４０に設置された内部の主要な部品と給気ファン１０２を概略的に示したものである。図２は、本実施形態に係る給気ファン１０２とランプ１１６を示す斜視図である。図２に示したランプ１１６は、図１に示したランプボックス１１０Ａ，１１０Ｂ（以下、総称してランプボックス１１０ともいう。）の外装ケース１１３を取り外したものである。図３は、本実施形態に係る給気ファン１０２と、ランプ設置エリア１５０を示す斜視図である。
【００２２】
プロジェクタ１００は、映像を投写する表示装置であって、高輝度のランプ１１６を光源として、例えば液晶パネルを透過した光をスクリーン等に投射する。プロジェクタ１００は、２灯切替え式であり、二つのランプボックス１１０Ａ，１１０Ｂを設置できるようなランプ設置エリア１５０を備える。
【００２３】
２灯切替え式のプロジェクタ１００の使用方法には２通りある。即ち、プロジェクタ１００内部に予備のランプボックス１１０Ａ（又は１１０Ｂ）を設置しておいて、二つのランプ１１６を常時設置しておく場合と、予備のランプ１１６は設置しておかず、一つのランプ１１６のみを設置する場合がある。図３では、ランプ設置エリア１５０にランプボックス１１０Ｂのみを設置している例である。
【００２４】
本実施形態に係るプロジェクタ１００は、ランプボックス１１０Ａ，１１０Ｂと、照明光学系１２０と、投射光学系１３０と、給気ファン１０２等を備える。
【００２５】
ランプボックス１１０Ａ，１１０Ｂは、図２に示すような、プロジェクタ１００の光源であるランプ１１６を内蔵する。ランプ１１６は、例えばキセノンランプ、超高圧水銀ランプなどである。ランプ１１６から照射された光は、照明光学系１２０に出力される。本実施形態のランプボックス１１０Ａ，１１０Ｂは、同一方向に光を照射するように平行に配置されている。
【００２６】
照明光学系１２０は、ランプ１１６から出力された光を一旦３原色（ＲＧＢ）に分光する。そして、照明光学系１２０は、分光された光を液晶パネルに透過させて、各色の映像光を生成した後、一つの映像光に合成する。照明光学系１２０は、合成された映像光を投射光学系１３０に出力する。照明光学系１２０は、ＵＶカットフィルタ、フライアイレンズ、ミラー、レンズ、液晶パネル、クロスプリズム等を有する。照明光学系１２０は、通常の技術を適用でき、本明細書では詳細な説明は省略する。
【００２７】
投射光学系１３０は、例えば投射レンズ等から構成され、照明光学系１２０から出力された映像光をスクリーン等に投射する。
【００２８】
次に、図１〜図４を参照して、プロジェクタ１００の冷却系について説明する。図４は、本実施形態に係るプロジェクタ１００の冷却系を示す説明図である。プロジェクタ１００の冷却系は、例えば給気ファン１０２と、ダクト１０４と、排気ファン１０６等からなる。
【００２９】
給気ファン１０２は、例えば遠心ファンであり、給気ファン１０２はランプ１１６に空気を供給し、点灯時に発熱するランプ１１６を冷却する。給気ファン１０２はダクト１０４と接続される。プロジェクタ１００には、図１及び図２に示すように、二つの給気ファン１０２が上下に設けられてもよい。これにより、ランプ１１６の上側と下側からランプ１１６を冷却できる。
【００３０】
ダクト１０４は、一側で給気ファン１０２と接続され、本実施形態のランプ１１６の数に合わせて、二つに分岐される。ダクト１０４は、給気ファン１０２に対して反対側でランプ１１６と接続可能である。ダクト１０４のランプ１１６との接続部分であるダクト１０４の先端には、給気ファン１０２から空気をランプ１１６に供給する給気口１０５が設けられる。給気口１０５には、シャッター１６０が設けられる。
【００３１】
排気ファン１０６は、例えば軸流ファンであり、ランプ１１６に供給された空気を吸い込み、吸い込んだ空気をプロジェクタ１００の外部に排出する。排気ファン１０６は、例えばプロジェクタ１００の外装ケースに取り付けられる。
【００３２】
ランプ１１６は、図２に示すように、空気取り入れ部１１２と、開口部１１４を有する。空気取り入れ部１１２は、ランプ１１６の上部と下部にそれぞれ設けられ、ダクト１０４と接続される。空気取り入れ部１１２とダクト１０４が接続されるときのランプボックス１１０の設置位置が、ランプ１１６を点灯して使用するときの点灯位置である。空気取り入れ部１１２は、例えば筒状の部材であり、ダクト１０４から供給された空気をランプ１１６の内部に送る。開口部１１４は、ランプ１１６の側面部に設けられ、ランプ１１６内部の空気を外部に排出する。開口部１１４には、ランプ１１６の破損時のガラスの飛散を防止する金網が設けられる場合がある。
【００３３】
ランプ１１６は、外装ケース１１３に内蔵される。外装ケース１１３は、図１及び図３に示すようにスリット１１１が形成され、スリット１１１はランプ１１６に供給された空気をランプボックス１１０Ａ，１１０Ｂの外部に排出する。スリット１１１から排出された空気は、排気ファン１０６によってプロジェクタ１００の外部に排出される。
【００３４】
２灯切替え式の本実施形態に係るプロジェクタ１００において、図１及び図２に示すように、二つのランプ１１６が設置されていれば、流路の抵抗が等しくなるため、冷却風が二つのランプ１１６に均等に供給される。ランプ１１６やランプボックス１１０による流路の抵抗は、ランプ１１６の内部構造、ランプ１１６の開口部１１４に設置された金網、ランプボックス１１０のスリット１１１等によって生じる。
【００３５】
図３及び図４に示すように、プロジェクタ１００内部に一方のランプボックス１１０Ｂのみが設置される場合は、後述するようにシャッター１６０がランプ１１６やランプボックス１１０の流路抵抗に相当する障害物として機能する。本実施形態では、シャッター１６０によって流路抵抗を調整し、ランプ１１６が設置されていない給気口１０５から排出される空気（図３のＡ）が、ランプ１１６に流れる空気と等しくなるようにする。その結果、ランプ１１６と接続された給気口１０５と、ランプ１１６が設置されていない給気口１０５の両方に、冷却風が均等に供給される。従って、片方にのみランプ１１６を設置している場合でも、ランプ１１６を複数設置しているときと同じ流量の空気がランプ１１６を流れる。
【００３６】
［シャッター１６０］
次に、図５〜図１０を参照して、本実施形態に係るシャッター１６０について説明する。図５は、本実施形態に係るシャッター１６０を示す側面図である。図６〜図８は、ランプボックス１１０及びダクト１０４を示す側面図である。図６は、ランプボックス１１０が点灯位置に設置される前の状態を示し、図７は、ランプボックス１１０が点灯位置に設置される過程を示し、図８は、ランプボックス１１０が点灯位置に設置された状態を示す。図９及び図１０は、ランプボックス１１０及びダクト１０４を示す斜視図である。図９は、ランプボックス１１０が点灯位置に設置される前の状態を示し、図１０は、ランプボックス１１０が点灯位置に設置された状態を示す。
【００３７】
まず、シャッター１６０の構成について説明する。
シャッター１６０は、板状部材１６２と、軸部材１６４と、突出部材１６６等からなる。板状部材１６２は、例えば平板状の部材である。板状部材１６２は、一端側が軸部材１６４を介してダクト１０４に接続され、軸部材１６４を中心にして回転可能である。板状部材１６２は、給気口１０５を開状態（第一モード）にしたり、給気口１０５を半閉状態（第二モード）にしたりする。軸部材１６４には例えばねじりばねが設けられ、板状部材１６２は、ねじりばねによって給気口１０５を閉鎖する方向に付勢される。
【００３８】
突出部材１６６は、板状部材１６２の一面、例えば給気口１０５に対向する面に設けられる。板状部材１６２が給気口１０５を半閉状態（第二モード）にするとき、突出部材１６６はダクト１０４の先端部分と接触して、板状部材１６２が給気口１０５を完全に塞がないようにする。突出部材１６６によって形成される開口は、給気口１０５の開状態（第一モード）における空気流量と、半閉状態（第二モード）における空気流量が同一になるように、開口面積が決定される。
【００３９】
突出部材１６６によって形成される開口の開口面積は、プロジェクタ１００のダクト１０４内の流量を測定して決定できる。または、実際に給気ファン１０２から空気を供給して、複数のランプボックス１１０を全て取り付けたときのランプ１１６の温度変化と、複数のランプボックス１１０のうち一つは取り外して、残りは取り付けたときのランプ１１６の温度変化を比較して決定することもできる。
【００４０】
次に、シャッター１６０の動作について説明する。
まず、ランプボックス１１０が点灯位置に設置される前は、図６及び図９に示すように、シャッター１６０は、給気口１０５を部分的に閉鎖した状態（第二モード）にする。
【００４１】
そして、ランプボックス１１０が点灯位置に設置される過程では、図７に示すように、ランプ１１６の空気取り入れ部１１２がシャッター１６０に接触しながら、シャッター１６０が回転する。即ち、ランプボックス１１０がプロジェクタ１００に装着されながら、シャッター１６０が押し開かれていく。
【００４２】
その後、ランプボックス１１０が点灯位置に設置された状態では、図８及び図１０に示すように、ランプ１１６の空気取り入れ部１１２が給気口１０５と接続されて、シャッター１６０が給気口１０５を開状態（第一モード）にする。
【００４３】
反対に、ランプボックス１１０が点灯位置から取り外される過程では、図７に示すように、ランプ１１６の空気取り入れ部１１２がシャッター１６０に接触しながら、シャッター１６０が回転する。即ち、ランプボックス１１０がプロジェクタ１００から取り外されながら、シャッター１６０が閉じられていく。
【００４４】
ランプボックス１１０が点灯位置から取り外された後は、図６及び図９に示すように、シャッター１６０は、給気口１０５を部分的に閉鎖した状態（第二モード）にする。
【００４５】
以上のように、本実施形態は、シャッター１６０がランプボックス１１０に機械的に接触して、シャッター１６０がランプボックス１１０の挿入又は取り出し動作と連動して開閉する。これによって、本実施形態は、図１６を参照して上述したようなセンサー３０によるランプボックス１０の有無の電気的な検知が不要であり、シャッター８の開閉制御や給気ファン２の出力制御に関する制御系の構築も不要である。そして、シャッター１６０が簡単な構造で開閉するため、誤動作の心配もない。
【００４６】
更に、本実施形態は、ランプボックス１１０が点灯位置から取り外されたとき、給気口１０５は開口を設けつつ、ランプボックス１１０の設置時に比べて、閉状態とする。このとき、給気ファン１０２からの空気が、ランプボックス１１０の設置時とほぼ同じ供給量で開口を通過する。即ち、ランプボックス１１０の非設置時は、シャッター１６０は、完全な遮蔽物ではなく、ランプ１１６やランプボックス１１０の流路抵抗に相当する障害物として機能する。その結果、給気ファン１０２の出力を上げずに、片方のみに設置されているランプ１１６に、ランプ１１６を複数設置しているときと同じ流量の空気が流れるため、ランプ１１６を適正に冷却することができる。
【００４７】
また、給気口１０５が完全に遮蔽しないため、片方のみに設置されているランプ１１６に空気の流量が増加することはないため、ランプ１１６を強く冷却しすぎて、ランプ１１６の輝度を低下させたり、黒化を促進させたりするという問題も生じない。更に、給気ファン１０２のファン電圧を上げて回転量を増加させる必要がないため、静粛性を損なうことなく、ランプ１１６の冷却が可能となる。
【００４８】
＜２．第２の実施形態＞
次に、本発明の第２の実施形態に係るプロジェクタについて説明する。図１１は、本実施形態に係るシャッター２６０を示す断面図である。図１２〜図１４は、ランプボックス１１０及びダクト１０４を示す側面図である。図１２は、ランプボックス１１０が点灯位置に設置される前の状態を示し、図１３は、ランプボックス１１０が点灯位置に設置される過程を示し、図１４は、ランプボックス１１０が点灯位置に設置された状態を示す。
【００４９】
本実施形態は、上述した第１の実施形態と比べて、ランプボックス１１０Ａ，１１０Ｂと、照明光学系１２０と、投射光学系１３０と、給気ファン１０２と、ダクト１０４の構成は同一であるため、これらの説明は省略する。本実施形態は、ダクト１０４の給気口１０５に設けられるシャッター２６０が第１の実施形態と異なるため、以下、シャッター２６０について説明する。
【００５０】
まず、シャッター２６０の構成について説明する。
シャッター２６０は、板状部材２６２と、突出部材２６４と、弾性部材２６６等からなる。板状部材２６２は、例えば板状部材であり、給気口１０５が設けられたダクト１０４の先端をスライド可能である。板状部材２６２は、給気口１０５を開状態（第一モード）にしたり、給気口１０５を半閉状態（第二モード）にしたりする。板状部材２６２は、突起部２６３を有し、突起部２６３が弾性部材２６６を介してダクト１０４に接続される。
【００５１】
突出部材２６４は、板状部材２６２の一端に、ダクト１０４から外部に突出する方向に設けられる。突出部材２６４は、ランプボックス１１０の空気取り入れ部１１２と接触可能である。弾性部材２６６は、板状部材２６２を、給気口１０５を閉鎖する方向に付勢する。
【００５２】
板状部材２６２が給気口１０５を半閉状態（第二モード）にするとき、弾性部材２６６によって付勢された板状部材２６２は、突起部２６３が当接部２６８と接触して、板状部材２６２が給気口１０５を完全に塞がないようにする。板状部材２６２が給気口１０５を部分的に閉鎖して形成される開口は、給気口１０５の開状態（第一モード）における空気流量と、半閉状態（第二モード）における空気流量が同一になるように、開口面積が決定される。
【００５３】
板状部材２６２が給気口１０５を部分的に閉鎖して形成される開口の開口面積は、プロジェクタ１００のダクト１０４内の流量を測定して決定できる。または、実際に給気ファン１０２から空気を供給して、複数のランプボックス１１０を全て取り付けたときのランプ１１６の温度変化と、複数のランプボックス１１０のうち一つは取り外して、残りは取り付けたときのランプ１１６の温度変化を比較して決定することもできる。
【００５４】
次に、シャッター２６０の動作について説明する。
まず、ランプボックス１１０が点灯位置に設置される前は、図１２に示すように、シャッター２６０は、給気口１０５を部分的に閉鎖した状態（第二モード）にする。
【００５５】
そして、ランプボックス１１０が点灯位置に設置される過程では、図１３に示すように、ランプ１１６の空気取り入れ部１１２がシャッター２６０に接触しながら、シャッター２６０がスライドする。即ち、ランプボックス１１０がプロジェクタに装着されながら、シャッター２６０が押し開かれていく。
【００５６】
その後、ランプボックス１１０が点灯位置に設置された状態では、図１４に示すように、ランプ１１６の空気取り入れ部１１２が給気口１０５と接続されて、シャッター２６０が給気口１０５を開状態（第一モード）にする。
【００５７】
反対に、ランプボックス１１０が点灯位置から取り外される過程では、図１３に示すように、ランプ１１６の空気取り入れ部１１２がシャッター２６０に接触しながら、シャッター２６０がスライドする。即ち、ランプボックス１１０がプロジェクタから取り外されながら、シャッター２６０が閉じられていく。
【００５８】
ランプボックス１１０が点灯位置から取り外された後は、図１２に示すように、シャッター２６０は、給気口１０５を部分的に閉鎖した状態（第二モード）にする。
【００５９】
以上のように、本実施形態は、シャッター２６０がランプボックス１１０に機械的に接触して、シャッター２６０がランプボックス１１０の挿入又は取り出し動作と連動して開閉する。これによって、本実施形態は、図１６を参照して上述したようなセンサー３０によるランプボックス１０の有無の電気的な検知が不要であり、シャッター８の開閉制御や給気ファン２の出力制御に関する制御系の構築も不要である。そして、シャッター２６０が簡単な構造で開閉するため、誤動作の心配もない。
【００６０】
更に、本実施形態は、ランプボックス１１０が点灯位置から取り外されたとき、給気口１０５は開口を設けつつ、ランプボックス１１０の設置時に比べて、閉状態とする。このとき、給気ファン１０２からの空気が、ランプボックス１１０の設置時とほぼ同じ供給量で開口を通過する。即ち、ランプボックス１１０の非設置時は、シャッター２６０は、完全な遮蔽物ではなく、ランプボックス１１０の流路抵抗に相当する障害物として機能する。その結果、給気ファン１０２の出力を上げずに、片方のみに設置されているランプ１１６に、ランプ１１６を複数設置しているときと同じ流量の空気が流れるため、ランプ１１６を適正に冷却することができる。
【００６１】
また、給気口１０５が完全に遮蔽しないため、片方のみに設置されているランプ１１６に空気の流量が増加することはないため、ランプ１１６を強く冷却しすぎて、ランプ１１６の輝度を低下させたり、黒化を促進させたりするという問題も生じない。更に、給気ファン１０２のファン電圧を上げて回転量を増加させる必要がないため、静粛性を損なうことなく、ランプ１１６の冷却が可能となる。
【００６２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００６３】
例えば、上記実施形態では、ランプボックス及びランプがプロジェクタに二つ設置される場合について説明したが、本発明はこの例に限定されず、ランプボックス及びランプがプロジェクタに三つ以上設置される場合についても同様である。
【符号の説明】
【００６４】
２      給気ファン
４      ダクト
８      シャッター
６      排気ファン
１０      ランプボックス
１４      空気取り入れ部
１６      ランプ
２０      制御部
３０      センサー
５０      ランプ設置エリア
１００      プロジェクタ
１０２      給気ファン
１０４      ダクト
１０５      給気口
１０６      排気ファン
１１０，１１０Ａ，１１０Ｂ      ランプボックス
１１１      スリット
１１２      空気取り入れ部
１１３      外装ケース
１１４      開口部
１１６      ランプ
１２０      照明光学系
１３０      投射光学系
１５０      ランプ設置エリア
１６０，２６０      シャッター
１６２      板状部材
１６４      軸部材
１６６      突出部材
２６２      板状部材
２６３      突起部
２６４      突出部材
２６６      弾性部材
２６８      当接部
【図１】
2011138054.tif 000003
【図２】
2011138054.tif 000004
【図３】
2011138054.tif 000005
【図４】
2011138054.tif 000006
【図５】
2011138054.tif 000007
【図６】
2011138054.tif 000008
【図７】
2011138054.tif 000009
【図８】
2011138054.tif 000010
【図９】
2011138054.tif 000011
【図１０】
2011138054.tif 000012
【図１１】
2011138054.tif 000013
【図１２】
2011138054.tif 000014
【図１３】
2011138054.tif 000015
【図１４】
2011138054.tif 000016
【図１５】
2011138054.tif 000017
【図１６】
2011138054.tif 000018